(57)【特許請求の範囲】
【請求項１】
棟部と該棟部の両側に備えた一対の勾配屋根を有する建物の屋根に敷設する屋根用除雪シートを掛止するための屋根用除雪シート掛止具であって、
前記屋根用除雪シート掛止具は、除雪シート掛止部材と、該除雪シート掛止部材を掛着して前記棟部に載置する棟部載置部材とからなり、
前記除雪シート掛止部材は、前記棟部の両側長手方向に延設した一対の棒状部材と、前記長手方向に対して該棒状部材に直角に貫通固着し、先端側に下方に向く鈎部、後端側に直線部を形成する固定棒とを備え、
前記棟部載置部材は、前記棟部に沿って形成された架設部と該架設部下端に設けられ、前記棒状部材を固定する載置部とを備え、該架設部に備えた第１長穴に前記鈎部を引っ掛け、該載置部に備えた第2長穴に前記直線部を挿着して、前記固定棒を固定し、
前記一対の棒状部材それぞれの側部乃至下部に、長手方向に屋根用除雪シートを掛止するための複数の第１フックを備えたことを特徴とする屋根用除雪シート掛止具。
【請求項２】
前記一対の棒状部材それぞれの上部に、長手方向に勾配屋根除雪シートを掛止するための複数の第２フックを更に備えた請求項１に記載の屋根用除雪シート掛止具。
【請求項３】
前記一対の棒状部材のうちの一方の棒状部材の上部に、長手方向に勾配屋根除雪シートを掛止するための複数の第２フックを更に備えた請求項１に記載の屋根用除雪シート掛止具。
【請求項４】
前記棟部に載置した請求項１に記載の屋根用除雪シート掛止具と、前記屋根用除雪シートとからなる屋根用除雪装置であって、
該屋根用除雪シートは、前記第１フックに該屋根用除雪シート下面に設けた掛止部を掛止して、前記屋根に敷設される屋根用除雪装置。
【請求項５】
前記棟部に載置した請求項２に記載の屋根用除雪シート掛止具と、前記屋根用除雪シートとからなる屋根用除雪装置であって、
前記屋根用除雪シートは、一対の勾配屋根に敷設する一対の勾配屋根除雪シートと、前記棟部に敷設する棟部除雪シートとからなり、
前記一対の勾配屋根除雪シートは、それぞれ前記一対の棒状部材の前記第２フックに該勾配屋根除雪シートの先端部を掛止して前記一対の勾配屋根に敷設され、且つ、
前記棟部除雪シートは、前記勾配屋根除雪シートに設けた挿通孔を通してそれぞれ前記一対の棒状部材の第１フックに該屋根用除雪シート下面に設けた掛止部を掛止して前記棟部に敷設される屋根用除雪装置。
【請求項６】
前記棟部に載置した請求項２又は３に記載の屋根用除雪シート掛止具と、前記屋根用除雪シートとからなる屋根用除雪装置であって、
前記屋根用除雪シートは、一方側の勾配屋根に敷設される前記勾配屋根除雪シートと、前記棟部及び他方側の勾配屋根に敷設される棟部・勾配屋根兼用除雪シートとからなり、該勾配屋根除雪シートは、一方側の前記第２フックに該勾配屋根除雪シートの先端部を掛止して該一方側の勾配屋根に敷設され、且つ、
該棟部・勾配屋根兼用除雪シートは、前記一方側の勾配屋根除雪シートに設けた挿通孔を通して前記第１フックに、該棟部・勾配屋根兼用除雪シート下面に設けた掛止部を掛止して前記棟部に敷設されると共に、他方側の勾配屋根において、該他方側の第１フックに該棟部・勾配屋根兼用除雪シートの下面に設けた掛止部を掛止して、敷設される屋根用除雪装置。
【請求項７】
前記勾配屋根の軒先部に前記屋根用除雪シートを係止する軒先部係止用部材を備える請求項４乃至６のうちのいずれか１項に記載の屋根用除雪装置。
【請求項８】
前記勾配屋根のけらば部に屋根用除雪シートを係止するけらば部係止用部材を備える請求項４乃至７のうちのいずれか１項に記載の屋根用除雪装置。
【請求項９】
前記屋根用除雪シートは、勾配方向に向かって並設される複数枚からなり、それぞれがファスナーにより着脱自在に接続されている請求項４乃至８のうちのいずれか１項に記載の屋根用除雪装置。
【発明の詳細な説明】
【技術分野】
【０００１】
本発明は屋根用除雪シート掛止具及びこれを用いた屋根用除雪装置に関し、更に詳しくは、簡易な構造で、屋根への着脱が容易な屋根用除雪シート掛止具及びこれを用いた除雪装置に関する。
【背景技術】
【０００２】
積雪の多い地域では、建物の屋根に耐久量を越える雪が積もる場合がある。この様な状況の下、作業者が屋根上に登り、スコップなどの除雪具を用いて雪下ろしを行なうことが行なわれている。この雪下ろし作業は、重労働であることに加え、積雪は滑りやすいため、落下事故がおきやすい。
ここで、屋根用除雪装置が提案されている（例えば、特許文献１参照。）。この屋根用除雪装置は、勾配屋根の棟部から軒先部に至る平行な案内レールを勾配屋根に固着し、除雪シートの適所に取着した各移動駒を対応する各案内レールに、除雪シートが上下動操作可能に組み込まれている。そして、降雪期間には除雪シートを勾配屋根全体に敷設しておき、降雪期間以外の期間では、屋根上部に設けた収納部に除雪シートを収納する構造となっている。
この屋根用除雪装置によれば、降雪期には、各案内レールに沿って各移動駒を降下移動させ、屋根上の略全体に除雪シートを敷設し、除雪シート上に降り積もろうとする雪を自動的に滑落させて除去することができるため、雪下ろし作業をしないで降雪期を終えることができる。
そして、降雪期間が終わると、当該除雪シートを、各移動駒と共に各案内レールに沿って上昇移動して折り畳みながら上昇させて収納部内まで誘導し、次の降雪期まで保管することができる。
【先行技術文献】
【特許文献】
【０００３】
【特許文献１】特開２００８−２９７８５０号公報
【発明の概要】
【発明が解決しようとする課題】
【０００４】
しかし、特許文献１に記載の屋根用除雪装置は、勾配屋根に案内レールを固着する必要があり、除雪シートの適所に各移動駒をしなければならず、構造が複雑である。
【０００５】
本発明は、前記の問題を解決するものであり、簡易な構造で屋根に確実に取り付けることができ、更に、屋根への着脱が容易である屋根用除雪シート掛止具及びこれを用いた屋根用除雪装置を提供することを目的とする。
【課題を解決するための手段】
【０００６】
本発明は以下の通りである。
１．棟部と該棟部の両側に備えた一対の勾配屋根を有する建物の屋根に敷設する屋根用除雪シートを掛止するための屋根用除雪シート掛止具であって、
前記屋根用除雪シート掛止具は、除雪シート掛止部材と、該除雪シート掛止部材を掛着して前記棟部に載置する棟部載置部材とからなり、
前記除雪シート掛止部材は、前記棟部の両側長手方向に延設した一対の棒状部材と、前記長手方向に対して該棒状部材に直角に貫通し、先端側に下方に向く鈎部、後端側に直線部を形成する固定棒とを備え、
前記棟部載置部材は、前記棟部に沿って形成された架設部と該架設部下端に設けられ、前記棒状部材を固定する載置部とを備え、該架設部に備えた第１長穴に前記鈎部を引っ掛け、該載置部に備えた第２長穴に前記直線部を挿着して、前記固定棒を固定し、
前記一対の棒状部材それぞれの側部乃至下部に、長手方向に屋根用除雪シートを掛止するための複数の第１フックを備えたことを特徴とする屋根用除雪シート掛止具。
２．前記一対の棒状部材それぞれの上部に、長手方向に勾配屋根除雪シートを掛止するための複数の第２フックを更に備えた請求項１に記載の屋根用除雪シート掛止具。
３．前記一対の棒状部材のうちの一方の棒状部材の上部に、長手方向に勾配屋根除雪シートを掛止するための複数の第２フックを更に備えた請求項１に記載の屋根用除雪シート掛止具。
【０００７】
４．前記棟部に載置した請求項１に記載の屋根用除雪シート掛止具と、前記屋根用除雪シートとからなる屋根用除雪装置であって、
該屋根用除雪シートは、前記第１フックに該屋根用除雪シート下面に設けた掛止部を掛止して、前記屋根に敷設される屋根用除雪装置。
５．前記棟部に載置した請求項２に記載の屋根用除雪シート掛止具と、前記屋根用除雪シートとからなる屋根用除雪装置であって、
前記屋根用除雪シートは、一対の勾配屋根に敷設する一対の勾配屋根除雪シートと、前記棟部に敷設する棟部除雪シートとからなり、
前記一対の勾配屋根除雪シートは、それぞれ前記一対の棒状部材の前記第２フックに該勾配屋根除雪シートの先端部を掛止して前記一対の勾配屋根に敷設され、且つ、
前記棟部除雪シートは、前記勾配屋根除雪シートに設けた挿通孔を通してそれぞれ前記一対の棒状部材の第１フックに該屋根用除雪シート下面に設けた掛止部を掛止して前記棟部に敷設される屋根用除雪装置。
６．前記棟部に載置した請求項２又は３に記載の屋根用除雪シート掛止具と、前記屋根用除雪シートとからなる屋根用除雪装置であって、
前記屋根用除雪シートは、一方側の勾配屋根に敷設される前記勾配屋根除雪シートと、前記棟部及び他方側の勾配屋根に敷設される棟部・勾配屋根兼用除雪シートとからなり、該勾配屋根除雪シートは、一方側の前記第２フックに該勾配屋根除雪シートの先端部を掛止して該一方側の勾配屋根に敷設され、且つ、
該棟部・勾配屋根兼用除雪シートは、前記一方側の勾配屋根除雪シートに設けた挿通孔を通して前記第１フックに、該棟部・勾配屋根兼用除雪シート下面に設けた掛止部を掛止して前記棟部に敷設されると共に、他方側の勾配屋根において、該他方側の第１フックに該棟部・勾配屋根兼用除雪シートの下面に設けた掛止部を掛止して、敷設される屋根用除雪装置。
【０００８】
７．前記勾配屋根の軒先部に前記屋根用除雪シートを係止する軒先部係止用部材を備える請求項４乃至６のうちのいずれか１項に記載の屋根用除雪装置。
８．前記勾配屋根のけらば部に屋根用除雪シートを係止するけらば部係止用部材を備える請求項４乃至７のうちのいずれか１項に記載の屋根用除雪装置。
９．前記屋根用除雪シートは、勾配方向に向かって並設される複数枚からなり、それぞれがファスナーにより着脱自在に接続されている請求項４乃至８のうちのいずれか１項に記載の屋根用除雪装置。 
【発明の効果】
【０００９】
１．本発明の屋根用除雪シート掛止具は、除雪シート掛止部材と、該除雪シート掛止部材を掛着して前記棟部に載置する棟部載置部材とからなり、前記除雪シート掛止部材は、前記棟部の両側長手方向に延設した一対の棒状部材と、前記長手方向に対して該棒状部材に直角に貫通固着し、先端側に下方に向く鈎部、後端側に直線部を形成する固定棒とを備え、前記棟部載置部材は、前記棟部に沿って形成された架設部と該架設部下端に設けられ、前記棒状部材を固定する載置部とを備え、該架設部に備えた第１長穴に前記鈎部を引っ掛け、該載置部に備えた第２長穴に前記直線部を挿着して、前記固定棒を固定し、前記一対の棒状部材それぞれの側部乃至下部に、長手方向に屋根用除雪シートを掛止するための複数の第１フックを備えているため、簡易な構造で屋根に確実に取り付けることができ、屋根への着脱が容易である。
２．また、一対の棒状部材それぞれの上部に、長手方向に勾配屋根除雪シートを掛止するための複数の第２フックを更に備えている場合には、確実に勾配屋根除雪シートを掛止することができる。
３．更に、一対の棒状部材のうちの一方の棒状部材の上部に、長手方向に勾配屋根除雪シートを掛止するため複数の第２フックを更に備えている場合には、勾配屋根除雪シートと棟部・勾配屋根兼用除雪シートを確実に敷設することができる。
【００１０】
４．本発明の屋根用除雪装置は、棟部に載置した屋根用除雪シート掛止具と、屋根用除雪シートとからなり、屋根用除雪シートは、前記第１フックに該屋根用除雪シート下面に設けた掛止部を掛止して、屋根に敷設されるため、簡易な構造で屋根に確実に取り付けることができ、更に、屋根への着脱が容易である。
５．また、屋根用除雪シートが、一対の勾配屋根除雪シートと棟部除雪シートとからなり、一対の勾配屋根除雪シートが、それぞれ両側の第２フックに勾配屋根除雪シートの先端部を掛止して両側の勾配屋根に敷設され、且つ、棟部除雪シートが、勾配屋根除雪シートに設けた挿通孔を通してそれぞれ両側の第１フックに掛止部を掛止して棟部に敷設される場合には、確実に屋根用除雪シートを敷設することができる。
６．屋根用除雪シートが、一方側に敷設される前記勾配屋根除雪シートと、棟部及び他方側の屋根に敷設される棟部・勾配屋根兼用除雪シートと、からなり、勾配屋根除雪シートが、一方側の第２フックに先端部を掛止して一方側の勾配屋根に敷設され、且つ、棟部・勾配屋根兼用除雪シートが、一方側の勾配屋根除雪シートに設けた挿通孔を通して第１フックに掛止部を掛止して棟部に敷設されると共に、他方側の勾配屋根において、第１フックに棟部・勾配屋根兼用除雪シートの下面に設けた掛止部を掛止して、敷設されるものであれば、更に簡易な構造で、屋根用除雪シートを敷設することができる。
【００１１】
７．勾配屋根の軒先部に屋根用除雪シートを係止する軒先部係止用部材を備えている場合には、より確実に屋根用除雪シートを敷設することができる。
８．勾配屋根のけらば部に屋根用除雪シートを係止するけらば部係止用部材を備えている場合も、より確実に屋根用除雪シートを敷設することができる。
９．屋根用除雪シートが、勾配方向に向かって並設される複数枚からなり、それぞれがファスナーにより着脱自在に接続されていれば、長手方向に広い屋根であっても、効果的に、屋根用除雪シートを敷設することができる。
【図面の簡単な説明】
【００１２】
【図１】本発明の実施形態の屋根用除雪シート掛止具を示す斜視図である。
【図２】本発明の実施形態の屋根用除雪シート掛止具の要部を示す部分拡大斜視図である。
【図３】本発明の実施形態の除雪シート掛止部材を棟部載置部材に掛着する方法を示す斜視図である。
【図４】本発明の実施形態の屋根用除雪装置に係り、屋根用除雪シート掛止具に屋根用除雪シートを掛止した例を示す断面図である。
【図５】本発明の実施形態の屋根用除雪装置に係り、屋根用除雪シート掛止具に屋根用除雪シートを掛止した他の例を示す断面図である。
【図６】本発明の屋根用除雪装置に係り、建物の屋根に屋根用除雪装置を取り付けた例を示す斜視図である。
【図７】本発明の屋根用除雪装置に係り、建物の屋根に屋根用除雪装置を取り付けた他の例を示す斜視図である。
【発明を実施するための形態】
【００１３】
以下、図１〜７を参照しながら本発明を詳しく説明する。尚、本発明は、かかる図に記載された具体例に示すものに限られず、目的、用途に応じて種々変更したものとすることができる。
［１］屋根用除雪シート掛止具
屋根用除雪シート掛止具１は、図５に示すように、棟部４１と該棟部４１の両側に備えた一対の勾配屋根４２を有する建物の屋根４０に敷設する屋根用除雪シート３０を掛止する部材である。
ここで、屋根は棟部とその両側に勾配屋根を備えていれば特に限定はなく、瓦屋根、トタン屋根、その他の屋根に取り付けることができる。
前記屋根用除雪シート掛止具１０は、図１に示すように、除雪シート掛止部材６０と、該除雪シート掛止部材６０を掛着して前記棟部４１に載置する棟部載置部材７０とからなる。
除雪シート掛止部材６０は、棟部４１の両側長手方向に延設した一対の棒状部材２０と、長手方向に対して棒状部材２０に直角に貫通固着し、先端側に下方に向く鈎部２７ａ、後端側に直線部２７ｂを形成する固定棒２７とを備えている。
棒状部材２０は、棟部の長手方向に延設した一対の部材であり、棒状の他に、管状も含まれる。
固定棒２７、棒状部材２０の材質は特に限定はないが、金属であることが好ましく、鉄又はステンレスであることが更に好ましい。ステンレスであれば特に耐候性に優れる。
【００１４】
棟部載置部材７０は、前記棟部４１に沿って形成された架設部７１と架設部７１下端に設けられ、棒状部材２０を固定する載置部７２とを備え、架設部７１に備えた第１長穴７１ａに鈎部２７ａを引っ掛け、載置部７２に備えた第２長穴７２ａに前記直線部を挿着して、固定棒２７を固定する。
なお、図２及び図３に示すように、載置部７２に接続して立設する脱落防止部７７を備えることもできる。脱落防止部７７により、除雪シート掛止部材６０が棟部載置部材７０から脱落するのを更に確実に防止することができる。
棟部載置部材７０の材質は、特に限定はないが、金属であることが好ましく、鉄又はステンレスであることが更に好ましい。ステンレスであれば特に耐候性に優れる。
【００１５】
固定棒２７は、棒状部材２０に貫通固着しているため、棒状部材２０と一体に形成されており、第１長穴７１ａに鈎部２７ａを引っ掛け、載置部７２に備えた第２長穴７２ａに前記直線部を挿着して、固定棒２７を固定すれば、除雪シート掛止部材６０を棟部載置部材７０に、確実且つ容易に固定することができる。また、除雪シート掛止部材６０を棟部載置部材７０から取り外すには、除雪シート掛止部材６０を棟部載置部材７０から持ち上げることにより、容易に取り外すことができる。
このため、不使用時においては、除雪シート掛止部材６０と棟部載置部材７０をそれぞれ分けてコンパクトに収納保管することができる。
【００１６】
一対の棒状部材２０それぞれの側部乃至下部には、長手方向に棟部除雪シートを掛止するための複数の第１フック２１を備えている。
前記第１フック２１は、棟部除雪シートを掛止するための部材であり、複数設けられている。第１フックは、棒状部材２０に固着されているが、固着の方法は特に限定はなく、溶接によることが好ましい。材質も特に限定はないが、金属であることが好ましく、鉄又はステンレスであることが更に好ましい。ステンレスであれば耐候性に優れる。
「側部乃至下部」とは、側部から下部に至るいずれかの位置を意味するが、好ましくは、側部のやや下方である。下方すぎると、後述の棟部除雪シートを掛止がしづらく、上方すぎれば、上方すぎれば、棟部除雪シートに対して突接しすぎることになる。
【００１７】
図１に示すように、前記一対の棒状部材２０それぞれの上部に、長手方向に勾配屋根除雪シートを掛止するための複数の第２フックを更に備えることができる。第２フックは、勾配屋根除雪シートを掛止する部材である。
一対の棒状部材のうちの一方の棒状部材の上部に、長手方向に勾配屋根除雪シートを掛止するための複数の第２フックを備えることもできる。
第２フックも第１フックと同様棒状部材２０に固着されているが、固着の方法、材質については、第１フックと同様であるため、その説明を省略する。
屋根用除雪シート掛止具１は、図１に示すように、棒状部材２０の先端部に接続管２５が固着してあれば、さらに、別の屋根用除雪シート掛止具１を接続することができる。棟部方向に長い屋根においては、複数の屋根用除雪シート掛止具１を接続して使用することが可能である。
【００１８】
［２］屋根用除雪装置
本発明の屋根用除雪装置は、図６に示すように、屋根用除雪シート掛止具１０と、前記屋根用除雪シート３０とからなる屋根用除雪装置であって、図４に示すように、該屋根用除雪シート３０は、前記第１フック２１に該屋根用除雪シート下面に設けた掛止部３０ａに掛止して屋根に敷設される。掛止部３０ａは、屋根用除雪シート３０の下面に縫着あるいは接着等により固着されている。
【００１９】
前記屋根用除雪シート３０は、図５に示すように（屋根の一方側のみ図示）、屋根全体を覆う１枚の除雪シートからなることもできる。
屋根用除雪シートの材質は特に限定はないが、例えば、軟質の塩化ビニル素材を用いることができる。
更に、前記屋根用除雪シート３０は、図４に示すように、一対の勾配屋根除雪シート３１と棟部除雪シート３２とからなることができる。
また、屋根用除雪シート３０は、一方側に敷設される勾配屋根除雪シート３１（図４）と、棟部４１及び他方側の勾配屋根４２に敷設される棟部・勾配屋根兼用除雪シート３３（図５）とからなることができる。
【００２０】
［実施例１］
実施例１は、一対の勾配屋根除雪シート３１と棟部除雪シート３２とからなる屋根用除雪シートを屋根への敷設した例である。
図４に示すように、一対の勾配屋根除雪シート３１（他方側不図示）は、それぞれ一対の棒状部材２０（他方側不図示）の第２フック２２に勾配屋根除雪シート３１の先端部を掛止して前記両側の勾配屋根４２に敷設される。勾配屋根除雪シート３１を第２フック２２に掛止するには、勾配屋根除雪シート３１の先端部に設けられたフック孔３１ｂを引っ掛けることにより行う。
【００２１】
そして、前記棟部除雪シート３２は、前記勾配屋根除雪シート３１に設けた挿通孔３１ｈを通してそれぞれの第１フック２１に棟部除雪シート３２下面に設けた掛止部３２ａを掛止して棟部４１に敷設される。棟部除雪シート３２を第１フック２２に掛止するには、掛止部３２ａに設けたフック孔３２ｂを引っ掛けることにより行う。
挿通孔３１ｈは、勾配屋根除雪シート３１を一部覆う棟部除雪シート３２を敷設するために、第１フック２１を勾配屋根除雪シート３１から突出させるための孔である。第１フック２１に棟部除雪シート３２が掛止できれば、挿通孔３１ｈの形状、大きさは特に限定されない。
なお、図４は、屋根の一方側のみを示しているが、他方側も同一の構成である。
【００２２】
図６に示すように、勾配屋根４２の軒先部５１に前記屋根用除雪シート３１を係止する軒先部係止用部材５１ａを備えていることが好ましい。軒先部係止用部材５１ａは、軒下下部に設けた固定部（不図示）と紐からなり、勾配屋根除雪シート３１の下端に設けた係止孔に樋５１ｂを抱接して紐により屋根用除雪シート３１を固定することができる。
また、図６に示すように、勾配屋根４２のけらば部５２に前記屋根用除雪シート３１を係止するけらば部係止用部材５２ａを備えていることが好ましい。けらば部係止用部材５２ａは、けらば部下部に設けた固定部（不図示）と紐からなり、勾配屋根除雪シート３１の側端に設けた係止孔に紐により屋根用除雪シート３１を固定することができる。
【００２３】
更に、軒先部係止用部材５１ａは、図７に示すように、勾配屋根除雪シート３１に設けた孔に紐５１ｃを交互に通し、その紐５１ｃをさらに別の紐５１ｄで固定するようにすることもできる。けらば部５２においても同様である。
【００２４】
図６に示すように、屋根用除雪シート３０が、勾配方向に向かって並設される複数枚からなり、それぞれがファスナー３１ｄにより着脱自在に接続されていれば、長手方向に広い屋根であっても、それぞれの屋根用除雪シート３０を簡易に着脱することができる。
更に、ファスナーで接続される屋根用除雪シート３０の一方に、ファスナー３１ｄを被覆する被覆片３１ｅを備えていることが好ましい。被覆片５１により、ファスナー３１ｄ上に直接積雪されるのを防ぐことができ、ファスナー３１ｄが凍りついたり損傷したりするのを防ぐことができる。そして、この被覆片３１ｅは、面ファスナー３１ｆにより固定することが好ましい。
なお、図６は勾配屋根除雪シート３１のみがファスナーにより接続されている例を示すが、棟部除雪シート３２、棟部・勾配屋根兼用除雪シートについても同様に、ファスナーにより接続することができる。
【００２５】
［実施例２］
実施例２は、一方側の勾配屋根４２に敷設される前記勾配屋根除雪シート３１と、他方側の勾配屋根４２に敷設される棟部・勾配屋根兼用除雪シート３３とからなる屋根用除雪シートを屋根へ敷設した例である。
図４に示すように、前記勾配屋根除雪シート３１は、棒状部材２０の第２フック２２に掛止されて一方側の勾配屋根４２に敷設される。勾配屋根除雪シート３１を第２フック２２に掛止するには、勾配屋根除雪シート３１の先端部に設けられたフック孔３１ｂを引っ掛けることにより行う。
【００２６】
そして、棟部・勾配屋根兼用除雪シート３３は、一方側の勾配屋根４２において、前記勾配屋根除雪シート３１に設けた挿通孔３１ｈを通して、第１フック２１に棟部・勾配屋根兼用除雪シート３３下面に設けた掛止部３３ａに掛止して棟部４１に敷設される。棟部・勾配屋根兼用除雪シート３３を第１フック２１に掛止するには、棟部・勾配屋根兼用除雪シート３３に設けられたフック孔３３ｂを引っ掛けることにより行う。挿通孔３１ｈについては、実施例１と同様であるため、その説明を省略する。
更に、他方側の勾配屋根４２において、図５に示すように、前記第１フック２１に棟部・勾配屋根兼用除雪シート３３の下面に設けた掛止部３３ａを掛止して屋根に敷設される。
棟部・勾配屋根兼用除雪シート３３を第１フック２１に掛止するには、掛止部３３ａに設けられたフック孔３３ｂを引っ掛けることにより行う。
【００２７】
実施例１と同様、図６に示すように、勾配屋根４２の軒先部５１に前記屋根用除雪シート３１を係止する軒先部係止用部材５１ａを備えていることが好ましい。また、勾配屋根４２のけらば部５２に前記屋根用除雪シート３１を係止するけらば部係止用部材５２ａを備えていることが好ましい。これらの作用効果については、実施例１と同様であるため、その説明を省略する。
更に、実施例１と同様に、軒先部係止用部材５１ａは、図７に示すように、勾配屋根除雪シート３１に設けた複数の孔に紐５１ｃを交互に通し、その紐５１ｃをさらに別の紐５１ｄで固定するようにすることもできる。けらば部５２においても同様である。
更に、屋根用除雪シート３０が、勾配方向に向かって並設される複数枚からなり、それぞれがファスナー３１ｄにより着脱自在に接続することができる点においても、実施例と同様であるため、その説明を省略する。
【符号の説明】
【００２８】
１；屋根用除雪シート掛止具、１０；屋根用除雪シート掛止具、２０；棒状部材、２１；第１フック、２２；第２フック、２７；固定棒、２７ａ；鈎部、２７ｂ；直線部、３０；屋根用除雪シート、３０ａ（３２ａ、３３ａ）；掛止部、３１；勾配屋根除雪シート、３１ｈ；挿通孔、３１ｄ；ファスナー、３２；棟部除雪シート、４０；屋根、４１；棟部、４２；勾配屋根、５１；軒先部、５１ａ；軒先部係止用部材、５２；けらば部、５２ａ；けらば部係止用部材、６０；除雪シート掛止部材、７０；棟部載置部材、７１；架設部、７１ａ；第１長孔、７２；載置部、７２ａ；第２長孔
【図１】
0005630874.tif 000002
【図２】
0005630874.tif 000003
【図３】
0005630874.tif 000004
【図４】
0005630874.tif 000005
【図５】
0005630874.tif 000006
【図６】
0005630874.tif 000007
【図７】
0005630874.tif 000008